(57)【要約】【課題】簡易な構成で、定量の錠剤を簡単な操作で正確に吐出し、取り出すことができる定量錠剤容器を提供することである。【解決手段】複数の錠剤Ｔを収容する容器本体１０と、容器本体１０の開口部を覆うキャップ本体２０と、錠剤を開口部に導く規制部材３０とを備えた定量錠剤容器であって、該規制部材３０には、弾性変形にて起き上がる係止リブ３１と、該係止リブ３１が起き上がった時に錠剤Ｔの通過を規制する止め片３２が形成されており、該キャップ本体２０には、キャップ閉蓋時に該係止リブ３１の起き上がりを抑制する係止リブ抑え２１と、取り出す錠剤Ｔが収まる受け部２４が形成されていることを特徴とする定量錠剤容器。【選択図】図３
2018070234.tif 000002
【特許請求の範囲】
【請求項１】
複数の錠剤（Ｔ）を収容する容器本体（１０）と、容器本体（１０）の開口部を覆うキャップ本体（２０）と、錠剤を開口部に導く規制部材（３０）とを備えた定量錠剤容器であって、
該規制部材（３０）には、弾性変形にて起き上がる係止リブ（３１）と、該係止リブ（３１）が起き上がった時に錠剤（Ｔ）の通過を規制する止め片（３２）が形成されており、
該キャップ本体（２０）には、キャップ閉蓋時に該係止リブ（３１）の起き上がりを抑制する係止リブ抑え（２１）と、取り出す錠剤Ｔが収まる受け部（２４）が形成されていることを特徴とする定量錠剤容器。
【請求項２】
前記規制部材（３０）は、上方からの下り勾配と水平部を有する規制ガイド（３３）を形成している請求項１に記載の定量錠剤容器。
【請求項３】
前記容器本体（１０）は複数のレーン（Ｌ）を備えており、前記キャップ本体（２０）は少なくとも１つのキャップ部（２０ａ）を有し、前記規制部材（３０）は、レーン（Ｌ）の境界部に隣り合うレーン（Ｌ）を仕切るガイド壁（３４ａ）が起立している仕切りガイド（３４）を形成している請求項１又は２に記載の定量錠剤容器。
【請求項４】
前記キャップ本体（２０）は複数のキャップ部（２０ａ）を備え、受け部（２４）が１つのキャップ部（２０ａ）と、受け部（２４）が１つ以上の他のキャップ部（２０ａ）とを設けている請求項３に記載の定量錠剤容器。
【請求項５】
一方のキャップ部（２０ａ）は、他方のキャップ部（２０ａ）の回動動作に伴って一緒に回動し、同時にキャップ開蓋する構造である請求項４に記載の定量錠剤容器。
【発明の詳細な説明】
【技術分野】
【０００１】
本発明は、容器内に収納された錠剤を簡単な操作で所定量だけ正確に取り出すことができる、定量錠剤容器に関するものである。
【背景技術】
【０００２】
サプリメントや清涼菓子等は、取り扱いや数量の管理を容易にするため錠剤に加工されることが多く、錠剤は一般に錠剤容器内に多数収容されており、服用に際しては、所定量を錠剤容器から取り出す必要がある。ここで、錠剤を収容した容器本体の開口部を単に閉鎖する蓋を備えた一般的な錠剤容器では、開口部から蓋を外し、容器本体を傾けるなどして錠剤を手のひら上に吐出させるが、これでは所定量を超えて余分な錠剤が容器本体から吐出されるおそれがある。必要以上に吐出された錠剤は、容器本体内に戻されるが、一旦、手に触れた錠剤を再び容器本体内へ戻すのは、衛生管理や品質保持の観点からは好ましくはなかった。
【０００３】
このため、錠剤を一定量ずつ取り出す先行技術として、引用文献１には、容器の開口部に差し込まれる中栓と、中栓の上部に覆い被さり上下に移動可能な冠体と、冠体を押し上げる付勢部材などで錠剤容器を構成して、中栓の上面に錠剤をせき止める弁体を設けて、また冠体の裏面に弁体に接触する押圧部を設けることで、冠体を押し下げると弁体が押し広げられ、錠剤が通過可能になる錠剤容器が開示されている。また、引用文献２には、蓋を閉めることにより発射板が弾性変形して蓄勢され、この蓋をスライドして開けることにより発射板の拘束が解除されて、発射板上に載った錠剤が外部へ弾き出される粒状品の収容ケースが開示されている。
【０００４】
しかしながら、引用文献１では、錠剤を吐出させるごとに弁体を押し下げる必要があり、所定量が多い場合はその操作が面倒なものであった。また、引用文献２においては、蓋を開けると同時に発射板により錠剤を１粒ずつ外部へ弾き出すようにしたものであるため、利用者が錠剤を捕捉し損なう可能性がある。
【先行技術文献】
【特許文献】
【０００５】
【特許文献１】特開２０１１−１３１９３１号公報
【特許文献２】特開２００７−２３８１７６号公報
【発明の概要】
【発明が解決しようとする課題】
【０００６】
本発明の目的は、上記した従来の問題を解決することであり、簡易な構成で、定量の錠剤を簡単な操作で正確に吐出し、取り出すことができる定量錠剤容器を提供することである。
【課題を解決するための手段】
【０００７】
上記課題を解決するため、本発明の主たる構成は、
複数の錠剤を収容する容器本体と、容器本体の開口部を覆うキャップ本体と、錠剤を開口部に導く規制部材とを備えた定量錠剤容器であって、
該規制部材には、弾性変形にて起き上がる係止リブと、該係止リブが起き上がった時に錠剤の通過を規制する止め片が形成されており、
該キャップ本体には、キャップ閉蓋時に該係止リブの起き上がりを抑制する係止リブ抑えと、取り出す錠剤が収まる受け部が形成されていることを特徴とする。
【０００８】
上記主たる構成では、決まった数量の錠剤がキャップ本体を開蓋するだけの簡単な操作で正確に吐出させて取り出すことが可能である。また、その構成は簡易なものであり、信頼性も高いものである。
【０００９】
また、本発明の他の構成は、規制部材が上方からの下り勾配と水平部を有する規制ガイドを形成しているものである。
【００１０】
水平部を有する規制ガイドによって、容器本体の内部で積み重なった錠剤の最下層だけを開口部に導くことができるため、容器本体内で錠剤が詰まることなく開口部にスムーズに誘導することができる。
【００１１】
また、本発明の他の構成は、容器本体が複数のレーンを備えており、キャップ本体は少なくとも１つのキャップ部を有し、規制部材はレーンの境界部に隣り合うレーンを仕切るガイド壁が起立している仕切りガイドを形成しているというものである。
【００１２】
複数のレーンを有することで所望量が多い場合にも対応することができ、また仕切りガイドを形成しているため容器本体内の錠剤を開口部に向け整然と誘導することができる。
【００１３】
また、本発明の他の構成は、キャップ本体は複数のキャップ部を備え、受け部が１つのキャップ部と、受け部が１つ以上の他のキャップ部とを設けているものである。
【００１４】
キャップ本体が複数のキャップ部を設けているため、所望数に応じてキャップ部を選択して開蓋することで、所望数の錠剤を取り出すことが可能である。
【００１５】
更に、本発明の他の構成は、一方のキャップ部が他方のキャップ部の回動動作に伴って一緒に回動し、同時にキャップ開蓋する構造である。
【００１６】
一方のキャップ部は他方のキャップ部の回動動作に伴って一緒に回動するため、他方のキャップ部を開蓋した時に、一方のキャップ部は他方のキャップ部に押されて同時に開蓋することが可能である。
【発明の効果】
【００１７】
本発明は、上記した構成となっているので、以下に示す効果を奏する。
本発明の主たる構成においては、簡易な構成でありながら、決まった数量の錠剤がキャップを開蓋するだけの簡単な操作で、正確に吐出させることが可能である。
また、本発明の構成においては、キャップ本体に複数のキャップ部を設けることができるため、所望数に応じてキャップ部から選択して開蓋することで、所望数の錠剤を取り出すことが可能である。
【図面の簡単な説明】
【００１８】
【図１】本発明の第１の実施形態の定量錠剤容器の外観図であり、（ａ）は上面半横断面図、（ｂ）はＡ−Ａ’線での縦断面図である。
【図２】図１（ｂ）での断面図であり、（ａ）はＺ−Ｚ’線での縦断面図であり、（ｂ）はＸ−Ｘ’線での縦断面図であり、（ｃ）はＸ−Ｘ’線でのキャップ開蓋時の縦断面図である。
【図３】図２（ｂ）のＹ−Ｙ’線での縦断面図であり、（ａ）はキャップ閉蓋時に錠剤を受け部に収めた状況であり、（ｂ）はキャップ開蓋時の錠剤の吐出状況である。
【図４】本発明の第２の実施形態の定量錠剤容器の外観図であり、（ａ）は上面横断面図、（ｂ）はＢ−Ｂ’線での縦断面図である。
【図５】図４（ｂ）での断面図であり、（ａ）はＺ−Ｚ’線での縦断面図であり、（ｂ）はＸ−Ｘ’線での縦断面図であり、（ｃ）はＸ−Ｘ’線でのキャップ開蓋時の縦断面図であり、（ｄ）は図５（ｂ）のＣ−Ｃ’線での縦断面図である。
【図６】本発明の第２の実施形態の定量錠剤容器におけるキャップの変形例であり、（ａ）は上面図、（ｂ）はＤ−Ｄ’線での縦断面図である。
【発明を実施するための形態】
【００１９】
以下、本発明の実施形態について図面を参照しつつ説明する。
図１は本発明の第１の実施形態の定量錠剤容器の外観図であり、（ａ）は上面半横断面図、（ｂ）はＡ−Ａ’線での縦断面図であり、図２は図１（ｂ）での断面図で、（ａ）はＺ−Ｚ’線での縦断面図、（ｂ）はＸ−Ｘ’線での縦断面図、（ｃ）はＸ−Ｘ’線でのキャップ開蓋時の縦断面図であり、図３は図２（ｂ）のＹ−Ｙ’線での縦断面図で、（ａ）はキャップ閉蓋時に錠剤を受け部に収めた状況、（ｂ）はキャップ開蓋時の錠剤の吐出状況を示したものである。
【００２０】
本発明に係る定量錠剤容器の容器１は、扁平円形状に形成された錠剤Ｔを内容物として収容し、これを所定量ずつ取り出すことができるようにしたものである。なお、この容器１に収容する内容物は、扁平円形状に形成された錠剤Ｔに限らず、例えば球状や角柱状に形成された錠剤等の他の粒状物とすることもできる。
ここで、本発明の定量錠剤容器は合成樹脂を用い、例えば、射出成形方法によって製造することができるものであるが、その材質については特に限定するものではない。
【００２１】
容器１は、複数の錠剤Ｔを収容する容器本体１０と、この容器本体１０にヒンジ部１１を介して連接されるキャップ本体２０と、容器本体１０の内部で錠剤Ｔを開口部に導き、その吐出を規制する規制部材３０から構成されている。錠剤Ｔは規制部材３０によって開口部に向かって整列する通路のレーンＬにそれぞれ並び、本実施形態では錠剤Ｔを４つのレーンＬに並べ、吐出して取り出せる構造となっている。
【００２２】
容器本体１０は矩形断面をなす外装体であり、錠剤Ｔを吐出するための開口部を有する中空部材からなっている。なお、容器本体１０は矩形断面をなすものを図示しているが、その断面形状は適宜変更可能である。
【００２３】
キャップ本体２０は容器本体１０の開口部を覆う構造であり、そのキャップ本体２０には、キャップ閉蓋時に後述する係止リブ３１の起き上がりを抑制する係止リブ抑え２１が設けられ、キャップ開蓋時に錠剤Ｔが吐出された際に錠剤Ｔを受け部２４に導くため誘導ガイド２２が起立設している。キャップ本体２０には係止部材２６が突設されており、容器本体１０の内部の規制部材３０側の係止部材を乗り越えるアンダーカットの如き係止手段にて係合させることによりキャップ本体２０を「閉」状態とする。キャップ本体２０を開蓋時は、端部側の指掛け部２３に指先をかけ、ヒンジ部１１を基点に回動させるとキャップ本体２０は「開」状態となる。
【００２４】
規制部材３０は、レーンＬ下方の中心部に弾性変形可能な係止リブ３１を備えている。この係止リブ３１は、キャップ閉蓋時には係止リブ抑え２１によって起き上がりを抑制され、キャップ開蓋時には係止リブ抑え２１による抑えがなくなり、弾性が回復して起き上がる構成となっている。そして、規制部材３０の上方側からは、レーンＬ上方の両端にキャップ開蓋時に起き上がる係止リブ３１と協同して錠剤Ｔが通過しないようにする止め片３２と、レーンＬ上方の中央部に容器本体１０の内部で積み重なった錠剤Ｔでの詰まり防止し、最下層の錠剤Ｔだけを開口部に導くために下り勾配と水平部を有する規制ガイド３３が設けられ、規制部材３０の下方側からは、隣り合うレーンＬの中央部にレーンＬを仕切る仕切りガイド３４が容器本体１０の内部側に延び、容器本体１０の内部側にガイド壁３４ａが起立設している。なお、キャップ閉蓋時には仕切りガイド３４のガイド壁３４ａが起立する手前まで、誘導ガイド２２が配置される構成となっている。
【００２５】
次に、このように構成された定量錠剤容器の作用について説明する。
キャップ閉蓋時は、図２（ｂ）に示されるように、係止リブ３１は係止リブ抑え２１によって抑えこまれ起き上がれない状態なので、錠剤Ｔが通過可能な状態となっている。その状態で、図３（ａ）に示されるように、容器１を倒立させるため傾けると錠剤Ｔがキャップ本体２０側に移動し始め、容器本体１０の内部で積み重なった錠剤Ｔの最下層だけを開口部に導く規制ガイド３３やレーンＬを仕切る仕切りガイド３４によってスムーズに錠剤Ｔが受け部２４に収まる。
【００２６】
容器１を傾けて倒立状態のまま、指掛け部２３に指先を掛けヒンジ部１１を基点に回動させるとキャップ本体２０は開蓋する。図３（ｂ）に示されるように、キャップ閉蓋時には係止リブ抑え２１によって抑えこまれていた弾性変形可能な係止リブ３１は、キャップ開蓋によって起き上がる。そして、図２（ｃ）に示されるように、起き上がった係止リブ３１と止め片３２との間の空間が狭まったことで、既にキャップ本体２０の受け部２４に移動している錠剤Ｔ以外は通過することは出来ず、倒立状態においても錠剤Ｔの吐出（落下）不能に係止することが出来るため、錠剤Ｔの定量取出しが可能となる。
【００２７】
この様に、決まった数量の錠剤Ｔをキャップ本体２０を開蓋するだけの操作で、正確に吐出させて取り出すことが可能である。ここで、上記実施形態の定量錠剤容器は、錠剤Ｔを４つずつ吐出する構成例を示したものであるが、容器本体１０の形状、レーンＬ数及びキャップ本体２０の受け部２４の数などを適宜変更することによって、錠剤Ｔの吐出数を例えば、１つずつ、２つずつ、３つずつの様に変えることができる。
【００２８】
図４〜図６は定量錠剤容器の第２の実施形態を示すものである。なお、図４〜図６においては、主にキャップ本体２０の構成が異なるが、前述した部材に対応する部材には同一の符号を付してある。
【００２９】
第２の実施形態において、キャップ本体２０は第１キャップ部２０ａ１と第２キャップ部２０ａ２の２つのキャップ部２０ａで構成され、第１キャップ部２０ａ１には１つの受け部２４、第２キャップ部２０ａ２には３つの受け部２４が設けられている。そして、第１キャップ部２０ａ１と第２キャップ部２０ａ２の境界部となる１つのレーンＬと３つのレーンＬを仕切る仕切りガイド３４には、２つのガイド壁３４ａが起立しており、１つのレーンＬ側のガイド壁３４ａの長さを短くし、錠剤Ｔを１つのレーンＬ側へ移動し易くさせてあるが、ガイド壁３４ａを１つとしても構わない。また、図５（ｄ）に示されるように、第１キャップ部２０ａ１と第２キャップ部２０ａ２の境界部には区隔壁３５が設けられている。
【００３０】
本第２の実施形態では、第１キャップ部２０ａ１に１つの錠剤Ｔ、第２キャップ部２０ａ２に３つの錠剤Ｔを吐出することができ、所望数に応じてキャップ本体２０からキャップ部２０ａを選択して開蓋することで、１つ又は３つの錠剤Ｔを吐出させ、取り出すことが可能である。
【００３１】
本実施形態の変形例としては、図６に示されるように、第１キャップ部２０ａ１に第２キャップ部２０ａ２が食い込む様な屈折部２７を設けることによって、第２キャップ部２０ａ２を開蓋した時には、第１キャップ部２０ａ１は第２キャップ部２０ａ２の回動動作に伴って一緒に回動し、同時に開蓋することになる。一方、第１キャップ部２０ａ１は単独でキャップ開閉可能である。これによって、第２キャップ部２０ａ２を開蓋した時には４つの錠剤Ｔを吐出することができ、第１キャップ部２０ａ１を開封した時には１つの錠剤Ｔを吐出することができる。
【００３２】
以上、実施例に沿って本発明の構成とその作用効果について説明したが、本発明の実施の形態は上記実施形態に限定されるものではない。
例えば上記実施形態の容器１では、容器本体１０の内部に仕切りを設けておらず、単一種の錠剤Ｔしか収納していないが、容器本体１０の内部に各レーンＬを仕切る壁を設けたり、或いは規制部材３０のガイド壁３４や区隔壁３５を容器本体１０の内部端部まで延長させるなどして、各レーンＬを区画分けし、複数種の錠剤Ｔが混在しないようにして、１回の操作で複数種の錠剤Ｔが取り出せるようにしても構わない。
また、上記実施形態ではキャップ本体２０として、第１キャップ部２０ａ１と第２キャップ部２０ａ２の２つのキャップ部２０ａしか示していないが、必要数に応じてキャップ部２０ａ数は適宜変更可能である。そして、例えば、第３キャップ部を設け場合には、第３キャップ部を開蓋すると第１〜第３キャップ部の全て同時に開蓋するようにしてもよい。
更に、容器本体１０とキャップ本体２０はヒンジ部１１を介して一体的に成形し部品点数を削減しているが、容器本体１０とキャップ本体２０を別体としても構わない。
【産業上の利用可能性】
【００３３】
以上説明したように、本発明によれば、比較的簡素化された構造のもとで、決まった数量の錠剤を簡単な操作で正確に取り出すことができるため、定量錠剤容器の分野における用途展開をさらに広い領域で図ることができる。
【符号の説明】
【００３４】
１      ；容器
１０    ；容器本体
１１    ；ヒンジ部
２０    ；キャップ本体
２０ａ  ：キャップ部
２０ａ１；第１キャップ部
２０ａ２；第２キャップ部
２１    ；係止リブ抑え
２２    ；誘導ガイド
２３    ；指掛け部
２４    ；受け部
２５    ；仕切壁
２６    ；係止部材
２７    ；屈曲部
３０    ；規制部材
３１    ；係止リブ
３２    ；止め片
３３    ；規制ガイド
３４    ；仕切りガイド
３４ａ  ；ガイド壁
３５    ；区隔壁
Ｌ      ；レーン
Ｔ      ；錠剤
【図１】
2018070234.tif 000003
【図２】
2018070234.tif 000004
【図３】
2018070234.tif 000005
【図４】
2018070234.tif 000006
【図５】
2018070234.tif 000007
【図６】
2018070234.tif 000008